(57)【要約】  本開示のモンモードノイズフィルタは、第１の絶縁体層と、第１の絶縁体層の下方に形成される第２の絶縁体層と、第１のコイル導体と第２のコイル導体とが電気的に接続されて形成される第１のコイルと、第３のコイル導体と第４のコイル導体とが電気的に接続されて形成される第２のコイルと、第５のコイル導体と第６のコイル導体とが電気的に接続されて形成される第３のコイルと、を有する。そして、外側から順に第１のコイル導体、第３のコイル導体、第５のコイル導体が第１の絶縁体層に形成され、外側から順に第６のコイル導体、第４のコイル導体、および第２のコイル導体が第２の絶縁体層に形成されている。
2016132666.tif 000002
【特許請求の範囲】
【請求項１】
第１の絶縁体層と、
前記第１の絶縁体層の下方に形成される第２の絶縁体層と、
第１のコイル導体と第２のコイル導体とが電気的に接続されて形成される第１のコイルと、
第３のコイル導体と第４のコイル導体とが電気的に接続されて形成される第２のコイルと、
第５のコイル導体と第６のコイル導体とが電気的に接続されて形成される第３のコイルと、
を備え、
前記第１のコイル、前記第２のコイル、前記第３のコイルは互いに電気的に独立しており、
前記第１のコイル導体、前記第３のコイル導体、および前記第５のコイル導体は、外側から前記第１のコイル導体、前記第３のコイル導体、および前記第５のコイル導体の順に並んで、渦巻状に前記第１の絶縁体層に形成され、
前記第１のコイル導体、前記第３のコイル導体、および前記第５のコイル導体は、互いに平行に配置される領域を有し、
前記第２のコイル導体、前記第４のコイル導体、および前記第６のコイル導体は、外側から前記第６のコイル導体、前記第４のコイル導体、および前記第２のコイル導体の順に並んで、前記第２の絶縁体層に形成され、
前記第２のコイル導体、前記第４のコイル導体、および前記第６のコイル導体は、互いに平行に配置される領域を有し、
前記第１のコイル導体と前記第６のコイル導体は、上面視で互いに重なる領域を有し、
前記第２のコイル導体と前記第５のコイル導体は、上面視で互いに重なる領域を有するコモンモードノイズフィルタ。
【請求項２】
前記第２の絶縁体層の下方に形成される第３の絶縁体層と、
前記第１のコイルを形成する第７のコイル導体と、
前記第２のコイルを形成する第８のコイル導体と、
前記第３のコイルを形成する第９のコイル導体と、
を更に備え、
前記第７のコイル導体、前記第８のコイル導体、および前記第９のコイル導体は、外側から前記第７のコイル導体、前記第８のコイル導体、および第９のコイル導体の順に並んで、渦巻状に前記第３の絶縁体層に形成され、
前記第７のコイル導体、前記第８のコイル導体、および前記第９のコイル導体は、互いに平行に配置される領域を有する請求項１に記載のコモンモードノイズフィルタ。
【請求項３】
前記第２のコイル導体と前記第９のコイル導体は、上面視で互いに重なる領域を有し、
前記第６のコイル導体と前記第７のコイル導体は、上面視で互いに重なる領域を有する請求項２記載のコモンモードノイズフィルタ。
【請求項４】
第１の絶縁体層と、
前記第１の絶縁体層の下方に形成される第２の絶縁体層と、
第１のコイル導体と第２のコイル導体とが電気的に接続されて形成される第１のコイルと、
第３のコイル導体と第４のコイル導体とが電気的に接続されて形成される第２のコイルと、
第５のコイル導体と第６のコイル導体とが電気的に接続されて形成される第３のコイルと、
を備え、
前記第１のコイル、前記第２のコイル、前記第３のコイルは互いに電気的に独立しており、
前記第１のコイル導体、前記第３のコイル導体、および前記第５のコイル導体は、外側から前記第１のコイル導体、前記第３のコイル導体、および前記第５のコイル導体の順に並んで、渦巻状に前記第１の絶縁体層に形成され、
前記第１のコイル導体、前記第３のコイル導体、および前記第５のコイル導体は、互いに平行に配置される領域を有し、
前記第２のコイル導体、前記第４のコイル導体、および前記第６のコイル導体は、外側から前記第４のコイル導体、前記第６のコイル導体、および前記第２のコイル導体の順に並んで、前記第２の絶縁体層に形成され、
前記第２のコイル導体、前記第４のコイル導体、および前記第６のコイル導体は、互いに平行に配置される領域を有し、
前記第１のコイル導体と前記第４のコイル導体は、上面視で互いに重なる領域を有し、
前記第３のコイル導体と前記第６のコイル導体は、上面視で互いに重なる領域を有し、
前記第５のコイル導体と前記第２のコイル導体は、上面視で互いに重なる領域を有するコモンモードノイズフィルタ。
【請求項５】
前記第２の絶縁体層の下方に形成される第３の絶縁体層と、
前記第１のコイルを形成する第７のコイル導体と、
前記第２のコイルを形成する第８のコイル導体と、
前記第３のコイルを形成する第９のコイル導体と、
を更に備え、
前記第７のコイル導体、前記第８のコイル導体、および前記第９のコイル導体は、外側から前記第９のコイル導体、前記第７のコイル導体、および第８のコイル導体の順に並んで、渦巻状に前記第３の絶縁体層に形成され、
前記第７のコイル導体、前記第８のコイル導体、および前記第９のコイル導体は、互いに平行に配置される領域を有する請求項４に記載のコモンモードノイズフィルタ。
【請求項６】
前記第２のコイル導体と前記第８のコイル導体は、上面視で互いに重なる領域を有し、
前記第４のコイル導体と前記第９のコイル導体は、上面視で互いに重なる領域を有し、
前記第６のコイル導体と前記第７のコイル導体は、上面視で互いに重なる領域を有する請求項５記載のコモンモードノイズフィルタ。
【請求項７】
前記第３の絶縁体層の下方に形成される第４の絶縁体層と、
前記第１のコイルを形成する第１０のコイル導体と、
前記第２のコイルを形成する第１１のコイル導体と、
前記第３のコイルを形成する第１２のコイル導体と、
を更に備え、
前記第１０のコイル導体、前記第１１のコイル導体、および前記第１２のコイル導体は、外側から前記第１０のコイル導体、前記第１１のコイル導体、および第１２のコイル導体の順に並んで、渦巻状に前記第４の絶縁体層に形成され、
前記第１０のコイル導体、前記第１１のコイル導体、および前記第１２のコイル導体は、互いに平行に配置される領域を有する請求項６に記載のコモンモードノイズフィルタ。
【請求項８】
前記第７のコイル導体と前記第１１のコイル導体は、上面視で互いに重なる領域を有し、
前記第８のコイル導体と前記第１２のコイル導体は、上面視で互いに重なる領域を有し、
前記第９のコイル導体と前記第１０のコイル導体は、上面視で互いに重なる領域を有する請求項７記載のコモンモードノイズフィルタ。
【発明の詳細な説明】
【技術分野】
【０００１】
本開示は、デジタル機器やＡＶ機器、情報通信端末等の各種電子機器に使用される小形で薄型のコモンモードノイズフィルタに関する。
【背景技術】
【０００２】
従来のコモンモードノイズフィルタは、図５に示すように、複数の絶縁体層１と、３つの独立したコイル２〜４を有する。そして、コイル２は、コイル導体２ａ、２ｂを電気的に接続することによって形成され、コイル３は、コイル導体３ａ、３ｂを電気的に接続することによって形成され、コイル４は、コイル導体４ａ、４ｂを電気的に接続することによって形成されている。そして、コイル導体２ａ、コイル導体３ａ、コイル導体４ａ、コイル導体２ｂ、コイル導体３ｂ、コイル導体４ｂ、は、下からコイル導体２ａ、コイル導体２ｂ、コイル導体３ａ、コイル導体３ｂ、コイル導体４ａ、コイル導体４ｂの順に積層されている。【０００３】
なお、本開示に関連する先行技術文献としては、例えば、特許文献１が知られている。
【先行技術文献】
【特許文献】
【０００４】
【特許文献１】特開２００３−７７７２７号公報
【発明の概要】
【０００５】
本開示のコモンモードノイズフィルタの一態様は、第１の絶縁体層と、第１の絶縁体層の下方に形成される第２の絶縁体層と、第１のコイル導体と第２のコイル導体とが電気的に接続されて形成される第１のコイルと、第３のコイル導体と第４のコイル導体とが電気的に接続されて形成される第２のコイルと、第５のコイル導体と第６のコイル導体とが電気的に接続されて形成される第３のコイルと、を有する。そして、第１のコイル、第２のコイル、第３のコイルは互いに電気的に独立している。第１のコイル導体、第３のコイル導体、および第５のコイル導体は、外側から第１のコイル導体、第３のコイル導体、および第５のコイル導体の順に並んで、渦巻状に第１の絶縁体層に形成されている。第１のコイル導体、第３のコイル導体、および第５のコイル導体は、互いに平行に配置される領域を有する。第２のコイル導体、第４のコイル導体、および第６のコイル導体は、外側から第６のコイル導体、第４のコイル導体、および第２のコイル導体の順に並んで、第２の絶縁体層に形成されている。第２のコイル導体、第４のコイル導体、および第６のコイル導体は、互いに平行に配置される領域を有する。第１のコイル導体と第６のコイル導体は、上面視で互いに重なる領域を有する。第２のコイル導体と第５のコイル導体は、上面視で互いに重なる領域を有する。
【０００６】
本開示のコモンモードノイズフィルタの別の一態様は、第１の絶縁体層と、第１の絶縁体層の下方に形成される第２の絶縁体層と、第１のコイル導体と第２のコイル導体とが電気的に接続されて形成される第１のコイルと、第３のコイル導体と第４のコイル導体とが電気的に接続されて形成される第２のコイルと、第５のコイル導体と第６のコイル導体とが電気的に接続されて形成される第３のコイルと、を有する。第１のコイル、第２のコイル、第３のコイルは互いに電気的に独立している。第１のコイル導体、第３のコイル導体、および第５のコイル導体は、外側から第１のコイル導体、第３のコイル導体、および第５のコイル導体の順に並んで、渦巻状に第１の絶縁体層に形成されている。第１のコイル導体、第３のコイル導体、および第５のコイル導体は、互いに平行に配置される領域を有する。第２のコイル導体、第４のコイル導体、および第６のコイル導体は、外側から第４のコイル導体、第６のコイル導体、および第２のコイル導体の順に並んで、第２の絶縁体層に形成されている。第２のコイル導体、第４のコイル導体、および第６のコイル導体は、互いに平行に配置される領域を有する。第１のコイル導体と第４のコイル導体は、上面視で互いに重なる領域を有する。第３のコイル導体と第６のコイル導体は、上面視で互いに重なる領域を有する。第５のコイル導体と第２のコイル導体は、上面視で互いに重なる領域を有する。
【図面の簡単な説明】
【０００７】
【図１】図１は、実施の形態１におけるコモンモードノイズフィルタの主要部の上面図である。
【図２】図２は、実施の形態１の変形例におけるコモンモードノイズフィルタの主要部の上面図である。
【図３】図３は、実施の形態２におけるコモンモードノイズフィルタの主要部の上面図である。
【図４】図４は、実施の形態２の変形例におけるコモンモードノイズフィルタの主要部の上面図である。
【図５】図５は、従来のコモンモードノイズフィルタの分解斜視図である。
【図６】図６は、別のコモンモードノイズフィルタの分解斜視図である。
【発明を実施するための形態】
【０００８】
本実施の形態の説明に先立ち、特許文献１に記載されている技術の問題点について説明する。
【０００９】
図５を参照しながら上述した従来のコモンモードノイズフィルタについては、コイル２とコイル４との間に、コイル３が配置されている。よって、コイル２とコイル４との距離が遠く、コイル２とコイル４はほとんど磁気結合しない。コイル２とコイル３においては隣り合う箇所が１箇所、コイル３とコイル４においては隣り合う箇所が１箇所しかないため、磁気結合が小さい。よって、コモンモード成分のインピーダンスは高くなく、その結果、コモンモードノイズの除去特性が低い。
【００１０】
そこで、図６に示すように、別のコモンモードノイズフィルタの構成が考えられる。図６に示すコモンモードノイズフィルタについて、以下説明する。
【００１１】
コイル導体２ａ、コイル導体３ａ、コイル導体４ａ、コイル導体２ｂ、コイル導体３ｂ、コイル導体４ｂが下から順に積層されている。なお、コイル導体２ａとコイル導体２ｂが、コイル２を構成し、コイル導体３ａとコイル導体３ｂが、コイル３を構成し、コイル導体４ａとコイル導体４ｂが、コイル４を構成している。
【００１２】
図６に示すコモンモードノイズフィルタにおいては、コイル２とコイル３とが隣り合う箇所が２箇所となり、コイル３とコイル４とが隣り合う箇所が２箇所となる。よって、図５に示すコモンモードノイズフィルタより図６に示すコモンモードノイズフィルタの方が磁気結合は強い。
【００１３】
しかしながら、コイル２とコイル４とが隣り合う箇所は、１箇所しかないため、コイル２とコイル３とが隣り合う箇所およびコイル３とコイル４とが隣り合う箇所と比べて、磁気結合が小さくなる。つまり、図６に示すコモンモードノイズフィルタでは、各コイル間の磁気結合はバランスが悪い。
【００１４】
（実施の形態１）
以下、実施の形態１のコモンモードノイズフィルタについて図１を参照しながら説明する。
【００１５】
図１は実施の形態１におけるコモンモードノイズフィルタの主要部の上面図である。なお、図１は、コイル導体が形成される絶縁体層１１、絶縁体層１２、絶縁体層１７のそれぞれを、上面から見た図を示している。
【００１６】
上から順に絶縁体層１１、絶縁体層１２と、絶縁体層１７が積層されている。絶縁体層１１には、渦巻状のコイル導体１３ａ、渦巻状のコイル導体１４ａ、および渦巻状のコイル導体１５ａが形成されている。絶縁体層１２には、渦巻状のコイル導体１３ｂ、渦巻状のコイル導体１４ｂ、渦巻状のコイル導体１５ｂが形成されている。コイル導体１３ａとコイル導体１３ｂとが電気的に接続されることにより、コイル１３は形成されている。また、コイル導体１４ａとコイル導体１４ｂとが電気的に接続されることにより、コイル１４は形成されている。更に、コイル導体１５ａとコイル導体１５ｂとが電気的に接続されることにより、コイル１５は形成されている。なお、コイル１３、コイル１４、コイル１５は、互いに電気的に独立している。
【００１７】
つまり、本実施の形態のコモンモードノイズフィルタは、絶縁体層１１と、絶縁体層１１の下方に形成される絶縁体層１２と、コイル導体１３ａとコイル導体１３ｂとが電気的に接続されて形成されるコイル１３と、コイル導体１４ａとコイル導体１４ｂとが電気的に接続されて形成されるコイル１４と、コイル導体１５ａとコイル導体１５ｂとが電気的に接続されて形成されるコイル１５とを有する。
【００１８】
そして、コイル１３、コイル１４、コイル１５は互いに電気的に独立している。コイル導体１３ａ、コイル導体１４ａ、およびコイル導体１５ａは、外側からコイル導体１３ａ、コイル導体１４ａ、およびコイル導体１５ａの順に並んで、渦巻状に絶縁体層１１に形成されている。コイル導体１３ａ、コイル導体１４ａ、およびコイル導体１５ａは、互いに平行に配置される領域を有する。
【００１９】
なお、コイル導体１３ａ、コイル導体１４ａ、およびコイル導体１５ａは互いに平行に配置されているが、端部については、本実施の形態のように必ずしも平行には配置できるとは限らない。
【００２０】
コイル導体の配置について更に、詳細に説明する。コイル導体１３ａ、コイル導体１４ａ、およびコイル導体１５ａの３本のコイル導体は一組となっている。そして、３本のコイル導体が一組となって渦巻状に配置されている。そして、渦巻形状の一組のコイル導体は、外側からコイル導体１３ａ、１４ａ、１５ａの順で配置されている。後述する他の実施の形態についても同様である。
【００２１】
コイル導体１３ｂ、コイル導体１４ｂ、およびコイル導体１５ｂは、外側からコイル導体１５ｂ、コイル導体１４ｂ、およびコイル導体１３ｂの順に並んで、絶縁体層１２に形成されている。コイル導体１３ｂ、コイル導体１４ｂ、およびコイル導体１５ｂは互いに平行に配置される領域を有する。
【００２２】
なお、本実施の形態では、コイル導体１３ｂ、コイル導体１４ｂ、およびコイル導体１５ｂは、互いに平行に配置されているが、端部については平行には配置できない場合がある。
【００２３】
コイル導体１３ａとコイル導体１５ｂは、上面視で互いに重なる領域を有し、コイル導体１３ｂと、コイル導体１５ａは、上面視で互いに重なる領域を有する。つまり、コイル導体１３ａとコイル導体１５ｂは、配線の関係上、上面視で重ならない部分がある。コイル導体１３ｂとコイル導体１５ａについても同様である。
【００２４】
絶縁体層１１、１２は、互いに隣り合うように積層され、シート状に構成されるＣｕ−Ｚｎフェライト、ガラスセラミック等の非磁性材料またはＮｉ−Ｃｕ−Ｚｎフェライト等の磁性材料で構成されている。そして、絶縁体層１１の下方に絶縁体層１２が位置している。
【００２５】
コイル導体１３ａ、コイル導体１４ａ、コイル導体１５ａは、絶縁体層１１に形成されている。コイル導体１３ｂ、コイル導体１４ｂ、コイル導体１５ｂ絶縁体層１２に形成されている。
【００２６】
さらに、絶縁体層１１に銀等の導電材料を、１ターン以上または１ターン未満の渦巻状にめっきまたは印刷することにより、コイル導体１３ａ、１４ａ、１５ａが構成されている。絶縁体層１１と同様に、絶縁体層１２に銀等の導電材料を、１ターン以上または１ターン未満の渦巻状にめっきまたは印刷することにより、コイル導体１３ｂ、１４ｂ、１５ｂが構成されている。
【００２７】
コイル１３はコイル導体１３ａとコイル導体１３ｂとで構成され、コイル１４はコイル導体１４ａとコイル導体１４ｂとで構成され、コイル１５はコイル導体１５ａとコイル導体１５ｂとで構成されている。
【００２８】
さらに、コイル導体１３ａとコイル導体１３ｂは、絶縁体層１１に形成されるビア電極１６ａで電気的に接続されている。コイル導体１４ａとコイル導体１４ｂは、絶縁体層１１に形成されるビア電極１６ｂで電気的に接続されている。コイル導体１５ａとコイル導体１５ｂは、絶縁体層１１に形成されるビア電極１６ｃで電気的に接続されている。
【００２９】
以上のように、互いに電気的に独立しているコイル１３、コイル１４、およびコイル１５が設けられ、コイル１３とコイル１４、コイル１４とコイル１５、コイル１５とコイル１３が、それぞれ互いに磁気結合している。
【００３０】
そして、絶縁体層１１において、コイル導体１３ａの内側にコイル導体１４ａが、コイル導体１４ａのさらに内側にコイル導体１５ａがそれぞれ略平行になるように、かつ互いに短絡しないように設けられている。すなわち、コイル導体１３ａ、１４ａ、１５ａを１つの組みとした場合に、この１組が渦巻き状となっており、渦巻き方向は、上面視にて各導体を流れる電流の方向が同じになっている。
【００３１】
絶縁体層１１と同様に絶縁体層１２においても、コイル導体１５ｂの内側にコイル導体１４ｂが、コイル導体１４ｂのさらに内側にコイル導体１３ｂがそれぞれ略平行になるように、かつ互いに短絡しないように設けられている。
【００３２】
つまり、絶縁体層１１に外側からコイル導体１３ａ、コイル導体１４ａ、コイル導体１５ａが順にほぼ平行に配置され、絶縁体層１２に外側からコイル導体１５ｂ、コイル導体１４ｂ、コイル導体１３ｂが順にほぼ平行に配置される。
【００３３】
絶縁体層１１には、外側から順に、コイル１３、コイル１４、コイル１５が形成され、絶縁体層１２には、外側から順に、コイル１５、コイル１４、コイル１３が形成される。
【００３４】
そして、コイル導体１３ａとコイル導体１５ｂが、上面視で主要部が重なり、コイル導体１５ａとコイル導体１３ｂが、上面視で主要部が重なっている。
【００３５】
更に、絶縁体層１２の下方に、絶縁体層１７が形成されている。絶縁体層１７には、ビア電極１８ａを介してコイル導体１３ｂに接続される引出用の導体２３ｃが設けられている。また、絶縁体層１７には、ビア電極１８ｂを介してコイル導体１４ｂに接続される引出用の導体２４ｃが設けられている。さらに、絶縁体層１７には、ビア電極１８ｃを介してコイル導体１５ｂに接続される引出用の導体２５ｃが設けられている。
【００３６】
導体２３ｃはコイル１３の一部を構成し、導体２４ｃはコイル１４の一部を構成し、導体２５ｃはコイル１５の一部を構成する。
【００３７】
なお、必要に応じて他の絶縁体層が絶縁体層１１、１２、１７の上面または下面に積層され、積層体（図示せず）が形成されていてもよい。積層体（図示せず）の両端面には、コイル１３、１４または１５の端部に接続される６つの外部電極（図示せず）が設けられている。
【００３８】
また、他の絶縁体層および絶縁体層１１、１２、１７のそれぞれは、非磁性材料または磁性材料のいずれかで構成されている。
【００３９】
上述したように本開示の実施の形態１におけるコモンモードノイズフィルタにおいては、コイル導体１４ａが、同一平面上でほぼ平行に配置されるコイル導体１３ａと隣合い、コイル導体１４ｂが、同一平面上でほぼ平行に配置されるコイル導体１３ｂと隣合う。その結果、コイル１４とコイル１３は２箇所で隣り合う。
【００４０】
また、同様にコイル導体１４ａが、同一平面上でほぼ平行に配置されるコイル導体１５ａと隣合い、コイル導体１４ｂが、同一平面上でほぼ平行に配置されるコイル導体１５ｂと隣合う。その結果、コイル１４とコイル１５も２箇所で隣り合う。
【００４１】
一方、コイル導体１３ａと、コイル導体１５ａについては、同一平面上において、同じ巻き数同士では、隣り合わない。同様に、コイル導体１３ｂと、コイル導体１５ｂについては、同一平面上において、同じ巻き数同士では、隣り合わない。しかしながら、コイル導体１３ａとコイル導体１５ｂは上面視で重なっており、かつ、コイル導体１５ａとコイル導体１３ｂは上面視で重なっている。コイル１３とコイル１５については、上面視において２箇所で重なる。
【００４２】
よって、本実施の形態のコモンモードノイズフィルタでは、３つのコイル間でバランスよく磁気結合させることができる。
【００４３】
すなわち、コイル１３とコイル１４とが隣り合う箇所は、絶縁体層１１の１箇所と絶縁体層１２の１箇所との合計２箇所あり、コイル１４とコイル１５とが隣り合う箇所も、絶縁体層１１の１箇所と絶縁体層１２の１箇所との合計２箇所ある。また、コイルの外周から内周に向かう同じ巻き数部分においては、コイル１３とコイル１５とが隣り合う箇所は、絶縁体層１１および絶縁体層１２のいずれの同一平面上には無い。しかしながら、コイル１３とコイル１５とが互いに対向するため、コイル導体１３ａとコイル導体１５ｂとの間の１箇所と、コイル導体１５ａとコイル導体１３ｂとの間の１箇所との合計２箇所で、コイル１３とコイル１５は隣接する。したがって、３つのコイル間の互いに隣り合う箇所は同じになり、互いの磁気結合の強さはほぼ同じになる。
【００４４】
なお、上記説明においては、同一絶縁体層上でコイルが隣り合う箇所として、外周から内周に向かう同じ巻き数部分についてのみ数える。巻き数が異なると、電極からコイル導体までの長さが大きく異なるため、位相が大きく異なる。位相が異なるコイル間では、磁気結合は殆ど発生しないため、コイルが隣り合う箇所としては数えない。例えば、絶縁体層１１上においては、外側から１ターン目のコイル導体１５ａと、外側から２ターン目のコイル導体１３ａが隣り合っているが、この箇所については、隣り合う箇所としては数えない。
【００４５】
コイル導体１３ａとコイル導体１５ｂとの間の距離、コイル導体１５ａとコイル導体１３ｂとの間の距離、コイル導体１３ａとコイル導体１４ａとの間の距離、コイル導体１４ａとコイル導体１５ａとの間の距離と、コイル導体１３ｂとコイル導体１４ｂとの間の距離と、コイル導体１４ｂとコイル導体１５ｂとの間の距離が、略同一とするのが好ましい。
【００４６】
（実施の形態１の変形例）
次に、図２を参照しながら、実施の形態１の変形例について説明する。図２は、実施の形態１の変形例におけるコモンモードノイズフィルタの主要部の上面図である。なお、実施の形態１と同様の構成については同一の符号を付して説明を省略する。
【００４７】
図１に示す実施の形態１では、絶縁体層１７に引出用の導体２３ｃ、２４ｃ、２５ｃが形成されているのに対し、図２に示す実施の形態１の変形例では、絶縁体層１７に渦巻状のコイル導体１３ｃ、１４ｃ、１５ｃが形成されている。
【００４８】
絶縁体層１７においては、コイル１３を構成するコイル導体１３ｃ、コイル１４を構成するコイル導体１４ｃ、コイル１５を構成するコイル導体１５ｃが外側から順に配置されており、コイル導体１３ｃ、コイル導体１４ｃ、コイル導体１５ｃが互いにほぼ平行になるように配置されている。なお、本変形例では、コイル導体１３ｃ、コイル導体１４ｃ、コイル導体１５ｃの端部については、平行には配置されていない。コイル導体１３ｃ、コイル導体１４ｃ、コイル導体１５ｃの全てが、必ずしも平行には配置されるとは限らない。後述する実施の形態および変形例についても同様である。
【００４９】
つまり、本変形例では、絶縁体層１２の下方に形成される絶縁体層１７とコイル１３を形成するコイル導体１３ｃと、コイル１４を形成するコイル導体１４ｃと、コイル１５を形成するコイル導体１５ｃと、を有する。そして、コイル導体１３ｃ、コイル導体１４ｃ、およびコイル導体１５ｃは、外側からコイル導体１３ｃ、コイル導体１４ｃ、およびコイル導体１５ｃの順に並んで、渦巻状に絶縁体層１７に形成されている。そして、コイル導体１３ｃ、コイル導体１４ｃ、およびコイル導体１５ｃは、互いに平行に配置される領域を有する。
【００５０】
そして、本変形例では、コイル導体１３ｃとコイル導体１５ｂは、上面視で互いに重なるよう配置され、コイル導体１５ｃとコイル導体１３ｂは上面視で互いに重なるように配置される。
【００５１】
なお、本変形例では、コイル導体１３ｃ、コイル導体１４ｃ、およびコイル導体１５ｃは、互いに平行に配置されているが、端部については平行には配置できない場合がある。
【００５２】
コイル導体１３ｂとコイル導体１５ｃは、上面視で互いに重なる領域を有し、コイル導体１３ｃとコイル導体１５ｂは、上面視で互いに重なる領域を有する。つまり、コイル導体１３ｂとコイル導体１５ｃは、配線の関係上、上面視で重ならない部分がある。コイル導体１３ｃとコイル導体１５ｂについても同様である。
【００５３】
本変形例では、絶縁体層１１には、コイル１３、コイル１４、コイル１５が外側から順に、絶縁体層１２には、コイル１５、コイル１４、コイル１３が外側から順に、絶縁体層１７には、コイル１３、コイル１４、コイル１５が外側から順に配置されている。
【００５４】
よって、図２を参照しながら説明した実施の形態１の変形例においては、３つのコイル間の互いの磁気結合の強さはほぼ同じになる。
【００５５】
（実施の形態２）
次に実施の形態２について図３を参照しながら説明する。
【００５６】
図３は本開示の実施の形態２におけるコモンモードノイズフィルタの主要部の上面図である。なお、本開示の実施の形態２においては、上記した本開示の実施の形態１と同様の構成を有するものについては、同一符号を付しており、説明は省略する。
【００５７】
図３に示すように、絶縁体層１２においては、コイル１３を構成するコイル導体１３ｂ、コイル１４を構成するコイル導体１４ｂ、コイル１５を構成するコイル導体１５ｂは、外側から、コイル導体１４ｂ、コイル導体１５ｂ、コイル導体１３ｂの順に、ほぼ平行に配置されている。なお、絶縁体層１１に形成されているコイル導体１３ａ、１４ａ、１５ａの並び方は実施の形態１と同様である。
【００５８】
さらに、絶縁体層１７においては、コイル１３を構成するコイル導体１３ｃ、コイル１４を構成するコイル導体１４ｃ、コイル１５を構成するコイル導体１５ｃは、外側からコイル導体１５ｃ、コイル導体１３ｃ、コイル導体１４ｃの順にほぼ平行に渦巻状に配置されている。また、コイル導体１３ａ、コイル導体１４ｂ、コイル導体１５ｃは上面視で互いに重なるように配置されている。同様に、コイル導体１４ａ、コイル導体１５ｂ、コイル導体１３ｃは上面視で互いに重なるように配置されている。更にコイル導体１５ａ、コイル導体１３ｂ、コイル導体１４ｃは上面視で互いに重なるように配置されている。
【００５９】
なお、実施の形態１と同様にコイル導体の全てが重なり合っている訳ではない。
【００６０】
つまり、本実施の形態のコモンモードノイズフィルタは、絶縁体層１１と、絶縁体層１１の下方に形成される絶縁体層１２と、コイル導体１３ａとコイル導体１３ｂとが電気的に接続されて形成されるコイル１３と、コイル導体１４ａとコイル導体１４ｂとが電気的に接続されて形成されるコイル１４と、コイル導体１５ａとコイル導体１５ｂとが電気的に接続されて形成されるコイル１５とを有する。
【００６１】
そして、コイル１３、コイル１４、コイル１５は互いに電気的に独立している。コイル導体１３ａ、コイル導体１４ａ、およびコイル導体１５ａは、外側からコイル導体１３ａ、コイル導体１４ａ、およびコイル導体１５ａの順に並んで、渦巻状に絶縁体層１１に形成されている。コイル導体１３ａ、コイル導体１４ａ、およびコイル導体１５ａは、互いに平行に配置される領域を有する。
【００６２】
コイル導体１３ｂ、コイル導体１４ｂ、およびコイル導体１５ｂは、外側からコイル導体１４ｂ、コイル導体１５ｂ、およびコイル導体１３ｂの順に並んで、絶縁体層１２に形成されている。コイル導体１３ｂ、コイル導体１４ｂ、およびコイル導体１５ｂは互いに平行に配置される領域を有する。
【００６３】
コイル導体１３ａとコイル導体１４ｂは、上面視で互いに重なる領域を有し、コイル導体１４ａとコイル導体１５ｂは、上面視で互いに重なる領域を有し、コイル導体１５ａとコイル導体１３ｂは、上面視で互いに重なる領域を有する。
【００６４】
つまり、実施の形態１と同様に、コイル導体１３ａとコイル導体１４ｂは、配線の関係上、上面視で重ならない部分がある。コイル導体１４ａとコイル導体１５ｂ、および、コイル導体１５ａとコイル導体１３ｂについても同様である。
【００６５】
更に、絶縁体層１７の下方に、絶縁体層１９が形成されている。絶縁体層１９には、ビア電極２０ａを介してコイル導体１３ｃに接続される引出用の導体２３ｄが設けられている。また、絶縁体層１９には、ビア電極２０ｂを介してコイル導体１４ｃに接続される引出用の導体２４ｄが設けられている。さらに、絶縁体層１９には、ビア電極２０ｃを介してコイル導体１５ｃに接続される引出用の導体２５ｄが設けられている。
【００６６】
導体２３ｄはコイル１３の一部を構成し、導体２４ｄはコイル１４の一部を構成し、導体２５ｄはコイル１５の一部を構成する。
【００６７】
つまり、絶縁体層１１には、コイル１３、コイル１４、コイル１５が、外側からコイル１３、コイル１４、コイル１５の順になるように配置されている。また、絶縁体層１２には、コイル１３、コイル１４、コイル１５が、外側からコイル１４、コイル１５、コイル１３の順になるように配置されている。更に、絶縁体層１７には、コイル１３、コイル１４、コイル１５が、外側からコイル１５、コイル１３、コイル１４の順になるように形成される。
【００６８】
コイル１３とコイル１４とが隣り合う箇所は、絶縁体層１１上の１箇所と、絶縁体層１７上の１箇所と、コイル導体１３ａとコイル導体１４ｂが対向する１箇所と、コイル導体１３ｂとコイル導体１４ｃとが対向する１箇所の合計４箇所ある。
【００６９】
なお、上記説明においては、実施の形態１と同様に、同一絶縁体層上でコイルが隣り合う箇所として、外周から内周に向かう同じ巻き数部分についてのみ数える。
【００７０】
そして、コイル１４とコイル１５とが隣り合う箇所も同様に４箇所であり、コイル１３とコイル１５とが隣り合う箇所も、同様に４箇所ある。したがって、３つのコイル間の互いに隣り合う箇所は同じである。よって、コイル間における磁気結合の強さは、ほぼ同じになる。
【００７１】
なお、絶縁体層１７に形成されるコイル導体１５ｃ、コイル導体１４ｃ、コイル導体１３ｃは必ずしも形成される必要は無い。コイル導体１５ｃ、コイル導体１４ｃ、コイル導体１３ｃが形成されない場合でも、コイル１３とコイル１４が隣り合う箇所、コイル１４とコイル１５が隣り合う箇所、コイル１５とコイル１３が隣り合う箇所は、同じである。よって、それぞれのコイル間の磁気結合の強さはほぼ同じになる。
【００７２】
つまり、本実施の形態のコモンモードノイズフィルタにおいては、絶縁体層１２の下方に形成される絶縁体層１７と、コイル１３を形成するコイル導体１３ｃと、コイル１４を形成するコイル導体１４ｃと、コイル１５を形成するコイル導体１５ｃと、を有する。
【００７３】
そして、コイル導体１３ｃ、コイル導体１４ｃ、およびコイル導体１５ｃは、外側からコイル導体１５ｃ、コイル導体１３ｃ、およびコイル導体１４ｃの順に並んで、渦巻状に絶縁体層１７に形成されている。また、コイル導体１３ｃ、コイル導体１４ｃ、およびコイル導体１５ｃは、互いに平行に配置される領域を有する。
【００７４】
また、コイル導体１３ｂとコイル導体１４ｃは、上面視で互いに重なる領域を有し、コイル導体１４ｂとコイル導体１５ｃは、上面視で互いに重なる領域を有し、コイル導体１５ｂとコイル導体１３ｃは、上面視で互いに重なる領域を有する。
【００７５】
つまり、実施の形態１の変形例と同様に、コイル導体１３ｂとコイル導体１４ｃは、配線の関係上、上面視で重ならない部分がある。コイル導体１４ｂとコイル導体１５ｃ、および、コイル導体１５ｂとコイル導体１３ｃについても同様である。
【００７６】
（実施の形態２の変形例）
次に、図４を参照しながら、実施の形態２の変形例について説明する。図４は、実施の形態４の変形例におけるコモンモードノイズフィルタの主要部の上面図である。なお、実施の形態２と同様の構成については同一の符号を付して説明を省略する。
【００７７】
図３を参照しながら説明した実施の形態２においては、絶縁体層１９に引出線用の導体２３ｄ、２４ｄ、２５ｄが形成されている。実施の形態２の変形例では、図４に示すように、絶縁体層１９には、形成引出線用の導体２３ｄ、２４ｄ、２５ｄではなく、渦巻状のコイル導体１３ｄ、１４ｄ、１５ｄが形成されている。コイル導体１３ｄはコイル１３を構成しており、コイル導体１４ｄはコイル１４を構成しており、コイル導体１５ｄはコイル１５を構成している。そして、絶縁体層１９に外側から順に、コイル導体１３ｄ、コイル導体１４ｄ、コイル導体１５ｄがほぼ平行に配置されている。コイル導体１３ｄとコイル導体１５ｃとは上面視で重なるように配置されている。コイル導体１４ｄとコイル導体１３ｃとは、上面視で重なるように配置されている。コイル導体１５ｄとコイル導体１４ｃとは上面視で重なるように配置されている。
【００７８】
つまり、本実施の形態のコモンモードノイズフィルタにおいては、絶縁体層１７の下方に形成される絶縁体層１９と、コイル１３を形成するコイル導体１３ｄと、コイル１４を形成するコイル導体１４ｄと、コイル１５を形成するコイル導体１５ｄと、を有する。
【００７９】
そして、コイル導体１３ｄ、コイル導体１４ｄ、コイル導体１５ｄは、外側からコイル導体１３ｄ、コイル導体１４ｄ、コイル導体１５ｄの順に並んで、渦巻状に絶縁体層１９に形成されている。また、コイル導体１３ｄ、コイル導体１４ｄ、およびコイル導体１５ｄは、互いに平行に配置される領域を有する。
【００８０】
また、コイル導体１３ｃとコイル導体１４ｄは、上面視で互いに重なる領域を有し、コイル導体１４ｃとコイル導体１５ｄは、上面視で互いに重なる領域を有し、コイル導体１５ｃとコイル導体１３ｄは、上面視で互いに重なる領域を有する。
【００８１】
つまり、他の実施の形態と同様に、コイル導体１３ｃとコイル導体１４ｄは、配線の関係上、上面視で重ならない部分がある。コイル導体１４ｃとコイル導体１５ｄ、および、コイル導体１５ｃとコイル導体１３ｄについても同様である。
【００８２】
上述した構成により、本変形例におけるコモンモードノイズフィルタでは、絶縁体層１１には、外側からコイル１３、コイル１４、コイル１５の順に、絶縁体層１２には、外側からコイル１４、コイル１５、コイル１３の順に、絶縁体層１７には、外側からコイル１５、コイル１３、コイル１４の順に、絶縁体層１９には、外側からコイル１３、コイル１４、コイル１５の順になるように、コイル導体が形成されている。
【００８３】
本変形例においては、実施の形態２と同様に、３つのコイル間の互いの磁気結合の強さはほぼ同じになる。
【００８４】
なお、本実施の形態において、「上」、「下」等の方向を示す用語については、相対的な位置関係を示しているだけであり、絶対的な方向を示すものではない。
【産業上の利用可能性】
【００８５】
本開示に係るコモンモードノイズフィルタは、３つのコイル間でバランスよく磁気結合させることができ、特にデジタル機器やＡＶ機器、情報通信端末等に使用される小形で薄型のコモンモードノイズフィルタ等において有用ある。
【符号の説明】
【００８６】
１，１１，１２，１７，１９  絶縁体層
２，３，４，１３，１４，１５  コイル
２ａ，２ｂ，３ａ，３ｂ，４ａ，４ｂ，１３ａ，１３ｂ，１３ｃ，１３ｄ，１４ａ，１４ｂ，１４ｃ，１４ｄ，１５ａ，１５ｂ，１５ｃ，１５ｄ  コイル導体
２３ｃ，２４ｃ，２５ｃ，２３ｄ，２４ｄ，２５ｄ  導体
【図１】
2016132666.tif 000003
【図２】
2016132666.tif 000004
【図３】
2016132666.tif 000005
【図４】
2016132666.tif 000006
【図５】
2016132666.tif 000007
【図６】
2016132666.tif 000008
【手続補正書】
【提出日】平成29年7月20日(2017.7.20)
【手続補正１】
【補正対象書類名】明細書
【補正対象項目名】００７６
【補正方法】変更
【補正の内容】
【００７６】
（実施の形態２の変形例）
次に、図４を参照しながら、実施の形態２の変形例について説明する。図４は、実施の形態２の変形例におけるコモンモードノイズフィルタの主要部の上面図である。なお、実施の形態２と同様の構成については同一の符号を付して説明を省略する。
【国際調査報告】
2016132666.tif 000009
2016132666.tif 000010